(57)【要約】【課題】  定電流回路におけるスタートアップ回路において、広温度範囲で動作するスタートアップ回路を実現する。【解決手段】  電源とＰＭＯＳトランジスタ１０５のソース間にコンデンサ１０２を設ける事で、電流パスを直流的に完全切断する構成とし、高温時のＰＭＯＳトランジスタ１０５のリークによる、定電流回路の定電流値ずれを防止する。【選択図】  図１
2006050437.tif 000002
【特許請求の範囲】
【請求項１】
電源電圧投入時に強制的に電圧を与えて内部回路を安定動作させるスタートアップ回路において、
該内部回路は、強制的電圧を入力するための第一ノードと、該内部回路の電位を検出するための第二ノードとを有し、
該スタートアップ回路は、該第二ノードの電位に応じて導通が制御される第一のＰ型トランジスタを含み、該第一のＰ型トランジスタのドレインと該第一ノードとを電気的に接続し、該第一のＰ型トランジスタのソースと電源との間に容量を構成したことを特徴とするスタートアップ回路。
【請求項２】
該スタートアップ回路は、第二のＰ型トランジスタを含み、該第二のＰ型トランジスタのゲートを該第二ノードに電気的に接続し、該第二のＰ型トランジスタのドレインを該第一のＰ型トランジスタのゲートに電気的に接続したことを特徴とする請求項１に記載のスタートアップ回路。
【請求項３】
該第二のＰ型トランジスタのドレインと該第一のＰ型トランジスタのゲートとの間、又は、該第一のＰ型トランジスタのドレインと該第一ノードとの間に抵抗を構成したことを特徴とする請求項２に記載のスタートアップ回路。
【請求項４】
該第二のＰ型トランジスタのゲートと接地電位との間に容量とトランジスタを並列接続したことを特徴とする請求項２に記載のスタートアップ回路。
【請求項５】
スタートアップ回路と定電流回路部とからなる定電流回路であって、
該定電流回路部は、ゲート及びソースを共通接続した第三及び第四のＰ型トランジスタと、ソース及びドレインを共通接続した第一及び第二のＮ型トランジスタとから成り、該第一のＰ型トランジスタのドレインと該第一のＮ型トランジスタのドレインとを接続して第一ノードを構成し、該第四のＰ型トランジスタのドレインと該第二のＮ型トランジスタのドレインとを接続して第二ノードを構成するとともに、
該スタートアップ回路は、該第二ノードの電位に応じて導通が制御される第一のＰ型トランジスタを含み、該第一のＰ型トランジスタのドレインと該第二ノードとを電気的に接続し、該第一のＰ型トランジスタのソースと電源との間に容量を構成したことを特徴とする定電流回路。
【発明の詳細な説明】
【技術分野】
【０００１】
本発明は、スタートアップ回路に関し、特に半導体集積回路に組込まれて使用され、電源投入時に所定のリセット信号を出力する。
【背景技術】
【０００２】
電源電圧投入後に回路が安定動作するためのスタートアップ回路を図２を用いて説明する。
【０００３】
図２において、内部回路としてトランジスタ２１０、２１１、２１２、２１３により定電流回路を構成し、トランジスタ２０５、２０６、コンデンサ２０８、抵抗２０９がスタートアップ回路を構成している。この回路に電源電圧が投入されると、ＰＭＯＳトランジスタ２０５のゲートは抵抗２０９により初期には接地電位となるため、トランジスタのしきい値電圧よりも低下する。そのためにトランジスタ２０５はオン状態となり、ノード２０４には電源電圧が強制的に与えられ、その結果、内部回路としての定電流回路部は確実に動作を開始する。
【０００４】
ノード２０４に電源電圧が与えられると、トランジスタ２１２とともにトランジスタ２１３がオン状態となり、ＰＭＯＳトランジスタ２１１のドレインに電流が流れる。ＰＭＯＳトランジスタ２１１とカレントミラー構成しているＰＭＯＳトランジスタ２０６のドレインにも電流が流れる。その結果、コンデンサ２０８が充電される。コンデンサ２０８が充電されると、ＰＭＯＳトランジスタ２０５のゲートに与えられる電圧が上昇しＰＭＯＳトランジスタ２０５がオフ状態となる。即ちスタートアップ回路が非能動状態になる（例えば、特許文献１参照）。
【特許文献１】特開平８−１８６４８４号公報
【発明の開示】
【発明が解決しようとする課題】
【０００５】
しかしながら従来回路の場合には、高温時にＰＭＯＳトランジスタ２０５のリーク電流が増大し、このリーク電流によりノード２０４の電圧が上昇して定電流回路の定電流値が変動してしまうという問題があった。即ち、定常時においては環境変化に対してＰＭＯＳトランジスタ２０５を介して電流が流れないようにすることが必要である。
【０００６】
本発明は、このような周囲温度の変化に対して所定の電流値を維持することができるスタートアップ回路を構成し、周囲温度変化に対して安定な動作を行うことができるスタートアップ回路を提供することを目的としている。
【課題を解決するための手段】
【０００７】
本発明は、電源とＰＭＯＳトランジスタ１０５のソースと電源との間にコンデンサ１０２を設ける事で、電流パスを直流的に完全切断を行う構成とした。また、ＰＭＯＳトランジスタ１０５のドレインと内部回路である定電流回路との間、または、ＰＭＯＳトランジスタ１０５のゲートに抵抗を設けることにより、時定数を持たせて電源投入時の不安定動作を回避した。
【発明の効果】
【０００８】
以上の構成にすることにより、広温度範囲で安定に動作するスタートアップ回路を得る事が出来る。
【発明を実施するための最良の形態】
【０００９】
【実施例１】
【００１０】
以下に、この本発明の実施例を図１に基づいて詳細に説明する。図１において、スタートアップ回路を構成するＰＭＯＳトランジスタ１０５のソースと電源の間にコンデンサ１０２を構成した。これにより、ＰＭＯＳトランジスタ１０５が温度変化に対してリーク電流が流れる状態となったとしても、コンデンサ１０２によりリーク電流を遮断することができる。以下本発明の動作を具体的に説明する。
【００１１】
電源電圧投入時には、コンデンサ１０２のインピーダンスは低くなる。ＰＭＯＳトランジスタ１０５は、抵抗１０９によりオン状態となりノード１０４は、コンデンサ１０２を通じて電源電圧が強制的に与えられ、定電流回路部は確実に動作を開始する。
【００１２】
定電流回路部の動作が開始すると、定電流回路とカレントミラー構成されているＰＭＯＳトランジスタ１０６のドレインに電流が流れコンデンサ１０８に充電される。コンデンサ１０８が充電されると、ＰＭＯＳトランジスタ１０５のゲートが上昇しＰＭＯＳトランジスタ１０５がオフ状態となりスタートアップ回路が非能動状態になる。この時、温度が上昇しＰＭＯＳトランジスタ１０５がリークした場合においても、コンデンサ１０２により、電気的に切断されているので問題ない。
【実施例２】
【００１３】
図３はスタートアップ回路のＰＭＯＳトランジスタ３０５のドレインとノード３０４との間、また、ＰＭＯＳトランジスタ３０６とコンデンサ３０８との間にそれぞれ抵抗３０３及び抵抗３０７を構成した。その他の構成は上記実施例１と同様である。抵抗３０３、３０７を設けて時定数を持たせた。これにより電源投入時の不安定状態を回避することができる。
【実施例３】
【００１４】
図４は、上記実施例１におけるスタートアップ回路の抵抗１０９の変わりに、ＮＭＯＳトランジスタ４０９を用いた。このＮＭＯＳトランジスタ４０９としてデプレッションタイプを用いることが好ましい。これにより、抵抗を構成するよりもＮＭＯＳトランジスタを用いたほうが素子面積を縮小できる効果がある。
【００１５】
本発明は、この回路に限らずスタートアップ回路を必要とするどの回路にも利用可能である。
【図面の簡単な説明】
【００１６】
【図１】本発明のスタートアップ回路図例である。
【図２】従来のスタートアップ回路図例である。
【図３】本発明のスタートアップ回路図例である。
【図４】本発明のスタートアップ回路図例である。
【符号の説明】
【００１７】
１０２、１０８、２０８、３０２、３０８、４０２、４０８  コンデンサ
１０９、２０９、３０３、３０７  抵抗
１０５、１０６、１１０、１１１、２０５、２０６、２１０、２１１、３０５、３０６、３１０、３１１、４０５、４０６、４１０、４１１  ＰＭＯＳトランジスタ
１１２、１１３、２１２、２１３、３１２、３１３、４０９、４１２、４１３  ＮＭＯＳトランジスタ
【図１】
2006050437.tif 000003
【図２】
2006050437.tif 000004
【図３】
2006050437.tif 000005
【図４】
2006050437.tif 000006